(57)【特許請求の範囲】
【請求項１】
少なくとも記録媒体上でのＣＩＥＬＡＢ色空間において定義される色相角Ｈ°が約８０°〜約１１０°の範囲であるイエローインク、該色相角Ｈ°が約３３０°〜約３６０°の範囲であるマゼンタインク及び該色相角Ｈ°が約２３０°〜約２６０°の範囲であるシアンインクの３色インクと、下記インク（Ａ）及び／又は下記インク（Ｂ）とを備えるインクセットであって、
インク（Ａ）：前記色相角Ｈ°が約０°〜約８０°の範囲であるインク
インク（Ｂ）：前記色相角Ｈ°が約２６０°〜約３３０°の範囲であるインク
［前記色相角Ｈ°は、Ｈ°＝ｔａｎ-1（ｂ*／ａ*＋１８０（ａ*＜０の場合）、又はＨ°＝ｔａｎ-1（ｂ*／ａ*）＋３６０（ａ*＞０の場合）により求められる。ａ*及びｂ*は、ＣＩＥＬＡＢ色空間において定義される知覚色度指数を表わす。］
前記シアンインクに含有される顔料が、Ｃ．Ｉ．ピグメントブルー１，２，３，１５：３，１５：４，１５：３４，１６，２２，６０及びＣ．Ｉ．バットブルー４，６０から選ばれる一種又は二種以上であり、
前記インク（Ａ）に含有される顔料が、Ｃ．Ｉ．ピグメントオレンジ５，６２及びＣ．Ｉ．ピグメントレッド１７，４９：２，１１２，１４９，１７７，１７８，１８８，２５５，２６４からなる群から選ばれる１種又は２種以上である、インクセット。
【請求項２】
前記インク（Ａ）と前記インク（Ｂ）の明度が、前記マゼンタインクと前記シアンインクの明度よりも低く、かつ、前記インク（Ａ）と前記インク（Ｂ）の彩度が、前記マゼンタインクと前記シアンインクの彩度よりも高い、請求項１に記載のインクセット。
【請求項３】
前記イエローインクは、４００ｎｍ〜５００ｎｍに吸収面積が３０ａｂｓ・ｎｍ以上、３５０ａｂｓ・ｎｍ以下である吸収スペクトルを有し、
前記マゼンタインクは、５００ｎｍ〜６００ｎｍに吸収面積が２０ａｂｓ・ｎｍ以上、２００ａｂｓ・ｎｍ以下である吸収スペクトルを有し、
前記シアンインクは、６００ｎｍ〜７００ｎｍに吸収面積が５０ａｂｓ・ｎｍ以上、４００ａｂｓ・ｎｍ以下である吸収スペクトルを有し、
前記インク（Ａ）は、５００ｎｍ〜６００ｎｍにおける吸収面積が、前記マゼンタインクの５００ｎｍ〜６００ｎｍにおける吸収面積と同等以上であり、
前記インク（Ｂ）は、５００ｎｍ〜６００ｎｍにおける吸収面積が、前記シアンインクの６００ｎｍ〜７００ｎｍにおける吸収面積と同等以上である、請求項１に記載のインクセット。
【請求項４】
前記インク（Ａ）の５００ｎｍ〜６００ｎｍにおける吸収面積が、前記マゼンタインクの５００ｎｍ〜６００ｎｍにおける吸収面積の１．０倍以上、３．５倍以下である請求項３に記載のインクセット。
【請求項５】
前記インク（Ｂ）の５００ｎｍ〜６００ｎｍにおける吸収面積が、前記シアンインクの６００ｎｍ〜７００ｎｍにおける吸収面積の１．０倍以上、３．０倍以下である請求項３に記載のインクセット。
【請求項６】
前記イエローインクは、４００ｎｍ〜５００ｎｍに吸収面積が３０ａｂｓ・ｎｍ以上、３５０ａｂｓ・ｎｍ以下である吸収スペクトルを有し、
前記マゼンタインクは、５００ｎｍ〜６００ｎｍに吸収面積が２０ａｂｓ・ｎｍ以上、２００ａｂｓ・ｎｍ以下である吸収スペクトルを有し、
前記シアンインクは、６００ｎｍ〜７００ｎｍに吸収面積が５０ａｂｓ・ｎｍ以上、４００ａｂｓ・ｎｍ以下である吸収スペクトルを有し、
前記インク（Ａ）は、当該インク（Ａ）の４００ｎｍ〜５００ｎｍにおける吸収面積が、当該インク（Ａ）の５００ｎｍ〜６００ｎｍにおける吸収面積の０．５倍以上、２．０倍以下であり、
前記インク（Ｂ）は、当該インク（Ｂ）の５００ｎｍ〜６００ｎｍにおける吸収面積が、当該インク（Ｂ）の６００ｎｍ〜７００ｎｍにおける吸収面積の０．５倍以上、５．０倍以下である、請求項１に記載のインクセット。
【請求項７】
前記マゼンタインクと前記シアンインクそれぞれの顔料固形分濃度が２重量％以下であり、かつ、前記インク（Ａ）と前記インク（Ｂ）と前記イエローインクそれぞれの顔料固形分濃度が２重量％以上である、請求項１〜６のいずれかに記載のインクセット。
【請求項８】
前記イエローインク、前記マゼンタインク及び前記シアンインクそれぞれにおける顔料固形分濃度が０．１重量％以上、２重量％以下であり、かつ、前記インク（Ａ）及び前記インク（Ｂ）それぞれの顔料固形分濃度が２重量％以上、６重量％以下である、請求項１〜６のいずれかに記載のインクセット。
【請求項９】
前記イエローインク、前記マゼンタインク、前記シアンインク、前記インク（Ａ）、及び前記インク（Ｂ）それぞれの顔料固形分濃度が２重量％以上である、請求項１〜６のいずれかに記載のインクセット。
【請求項１０】
前記インクに含有される色材が顔料である請求項１〜６のいずれかに記載のインクセット。
【請求項１１】
前記インク（Ａ）に含有される顔料が、Ｃ．Ｉ．ピグメントレッド１４９，１７７，１７８，２６４からなる群から選ばれる１種又は２種以上である、請求項１に記戟のインクセット。
【請求項１２】
前記インク（Ｂ）に含有される顔料が、Ｃ．Ｉ．ピグメントブルー６０及びＣ．Ｉ．ピグメントバイオレット３，１９，２３，３２，３６，３８からなる群から選ばれる１種又は２種以上である、請求項１０に記載のインクセット。
【請求項１３】
前記顔料が、Ｃ．Ｉ．ピグメントバイオレット１９，２３，Ｃ．Ｉ．ピグメントブルー６０からなる群から選ばれる１種又は２種である、請求項１２に記載のインクセット。
【請求項１４】
前記マゼンタインクに含有されている顔料が、Ｃ．Ｉ．ピグメントレッド５，７，１２，４８（Ｃａ），５７（Ｃａ），５７：１，１１２，１２２，１２３，１６８，１８４，２０２，２０９及びＣ．Ｉ．ピグメントバイオレット１９から選ばれる一種又は二種以上である、請求項１０に記載のインクセット。
【請求項１５】
前記顔料が、Ｃ．Ｉ．ピグメントレッド１２２，２０２，２０９及びＣ．Ｉ．ピグメントバイオレット１９から選ばれる一種又は二種以上である、請求項１４に記載のインクセット。
【請求項１６】
前記シアンインクに含有されている顔料が、Ｃ．Ｉ．ピグメントブルー１５：３，１５：４から選ばれる一種又は二種である、請求項１に記載のインクセット。
【請求項１７】
前記イエローインクに含有されている顔料が、Ｃ．Ｉ．ピグメントイエロー１，２，３，１２，１３，１４，１６，１７，７３，７４，７５，８３，９３，９５，９７，９８，１０９，１１０，１１４，１２８，１２９，１３８，１３９，１４７，１５０，１５１，１５４，１５５，１８０，１８５から選ばれる一種又は二種以上である、請求項１０に記載のインクセット。
【請求項１８】
前記顔料が、Ｃ．Ｉ．ピグメントイエロー７４，１１０，１２８，１４７から選ばれる一種又は二種以上である、請求項１７に記載のインクセット。
【請求項１９】
更に、ブラックインクを備える、請求項１０に記載のインクセット。
【請求項２０】
前記イエローインクの記録媒体上での光学濃度（ＯＤ値）が１．７〜２．４である請求項１又は２に記載のインクセット。
【請求項２１】
前記マゼンタインクの記録媒体上での光学濃度（ＯＤ値）が１．０〜２．６である請求項１又は２に記載のインクセット。
【請求項２２】
前記シアンインクの記録媒体上での光学濃度（ＯＤ値）が２．０〜２．７である請求項１又は２に記載のインクセット。
【請求項２３】
前記インク（Ａ）は、前記イエローインクのＩY重量と前記マゼンタインクのＪ1M重量とを記録媒体上で混合して得られる色相角Ｈ°(Y+M)の彩度Ｃ*(Y+M)を、（ＩY＋Ｊ1M）重量未満の使用量で得られるインクである請求項１又は２に記載のインクセット。
〔前記彩度Ｃ*は、Ｃ*＝｛（ａ*）2＋（ｂ*）2｝1/2により求められる。〕
【請求項２４】
前記インク（Ｂ）は、前記マゼンタインクのＪ2M重量と前記シアンインクのＫｃ重量とを記録媒体上で混合して得られる色相角Ｈ°(M+C)の彩度Ｃ*(M+C)を、（Ｊ2M＋ＫC）重量未満の使用量で得られるインクである請求項１又は２に記載のインクセット。
【請求項２５】
前記インク（Ａ）の彩度Ｃ*Aが、前記イエローインクの彩度Ｃ*Y及び／又は前記マゼンタインクの彩度Ｃ*Mよりも高い請求項１又は２に記載のインクセット。
【請求項２６】
前記インク（Ｂ）の彩度Ｃ*Bが、前記マゼンタインクの彩度Ｃ*M及び／又は前記シアンインクの彩度Ｃ*Cよりも高い請求項１又は２に記載のインクセット。
【請求項２７】
前記インク（Ａ）の記録媒体上での彩度Ｃ*Aが８０以上である請求項１又は２に記載のインクセット。
【請求項２８】
前記インク（Ｂ）の記録媒体上での彩度Ｃ*Bが、８０以上である請求項１又は２に記載のインクセット。
【請求項２９】
前記インク（Ａ）の記録媒体上での色相範囲が、ａ*＝約６０〜約８０、ｂ*＝約２０〜約８０の範囲、又はａ*＝約３０〜約６０、ｂ*＝約６０〜約１００の範囲である請求項１又は２に記載のインクセット。
【請求項３０】
前記インク（Ｂ）の記録媒体上での色相範囲が、ａ*＝約５０〜約７０、ｂ*＝約−７０〜約−５０の範囲、又はａ*＝約４０〜約６０、ｂ*＝約−８０〜約−６０の範囲である請求項１又は２に記載のインクセット。
【請求項３１】
前記イエローインクの記録媒体上での色相範囲がａ*＝約−３０〜約２０、ｂ*＝約７０〜約１３０の範囲であり、前記マゼンタインクの該色相範囲がａ*＝約６０〜約９０、ｂ*＝約−４０〜約−１０の範囲であり、前記シアンインクの該色相範囲がａ*＝約−５０〜約−２０、ｂ*＝約−７０〜約−４０の範囲である請求項１又は２に記載のインクセット。
【請求項３２】
前記記録媒体は、ＰＭ写真用紙である請求項１又は２に記載のインクセット。
【請求項３３】
請求項１に記載のインクセットを用いて記録媒体に文字及び／又は画像を形成するインクジェット記録方法。
【請求項３４】
請求項３３に記載のインクジェット記録方法であって、
前記インク（Ａ）及び／又は前記インク（Ｂ）と、少なくとも、前記イエローインク、前記マゼンタインク、前記シアンインク、前記ブラックインクのいずれか１種とにより混色部分を形成するインクジェット記録方法。
【請求項３５】
請求項３３に記載のインクジェット記録方法であって、
複数色の前記インクの液滴をそれぞれ吐出させ、該液滴を記録媒体上で混合して、該記録媒体上に１色又は２色以上の混色部分を形成する場合、前記インク（Ａ）又は前記インク（Ｂ）以外のインクの少なくとも２種と、前記インク（Ａ）又は前記インク（Ｂ）とにより該混色部分を形成するインクジェット記録方法。
【請求項３６】
前記記録媒体上でのＣＩＥＬＡＢ色空間において定義される知覚色度指数ａ*及びｂ*が、それぞれ、ａ*＝約−５０〜約５０、ｂ*＝約−５０〜約５０の範囲にある前記混色部分を形成する場合、少なくとも、前記イエローインク、前記マゼンタインク及び前記シアンインクの３色のインクと、前記インク（Ａ）及び／又は前記（Ｂ）とにより該混色部分を形成する請求項３３に記載のインクジェット記録方法。
【請求項３７】
前記混色部分の色相が、白色と黒色との間の色相群の１色である請求項３６に記載のインクジェット記録方法。
【請求項３８】
前記記録媒体上でのＣＩＥＬＡＢ色空間において定義される知覚色度指数ａ*及びｂ*が、それぞれ、ａ*＝約−４０〜約９０、ｂ*＝約−４０〜約１００の範囲にある前記混色部分を形成する場合、少なくとも、前記イエローインク及び前記マゼンタインクの２色のインクと、前記インク（Ａ）とにより該混色部分を形成する請求項３３に記載のインクジェット記録方法。
【請求項３９】
前記混色部分の色相がミイエロー色とマゼンタ色との間の色相群の１色である請求項３８に記載のインクジェット記録方法。
【請求項４０】
前記記録媒体上でのＣＩＥＬＡＢ色空間において定義される知覚色度指数ａ*及びｂ*が、それぞれ、ａ*＝約−５０〜約１００、ｂ*＝約−１０〜約−８０の範囲にある前記混色部分を形成する場合、少なくとも、前記マゼンタインク及び前記シアンインクの２色のインクと、前記インク（Ｂ）とにより該混色部分を形成する請求項３３に記載のインクジェット記録方法。
【請求項４１】
前記混色部分の色相が、マゼンタ色とシアン色との間の色相群の１色である請求項４０に記載のインクジェット記録方法。
【発明の詳細な説明】
技術分野
本発明は、少なくともイエロー、マゼンタ及びシアンの３色のインクと、これら以外の特色インクとを備えたインクセットに関し、特に顔料インクセット及びこれを用いたインクジェット記録方法に関する。
背景技術
顔料インクは、一般に、染料インクに比して印刷物の画像堅牢性に優れており、サインやデスプレイ市場向けのワイドフォーマットのカラーインクジェット記録用インク等、その特性を活かした種々の用途において使用されている。このカラーインクジェット記録においては、通常、減法混色の３原色であるイエロー（Ｙ）、マゼンタ（Ｍ）及びシアン（Ｃ）の３色の顔料インクを備えた３色インクセット、あるいはこれにブラック（Ｋ）を加えた４色インクセットを用いて種々の色相を表現することが行われている。
しかし、前記３色又は４色インクセットは、色再現範囲が狭い、２次色以上の印刷部分（混色部分）の彩度が低下する等の問題があり、銀塩写真や製版印刷等に匹敵する高画質の印刷物を提供し得るレベルには至っていない。
また、彩度の低下の問題に対しては、これを高めるべく、ＹＭＣの各色インクの顔料濃度を増加する方法や、ＹＭＣの各色インクの記録媒体への打ち込み量を増加する方法等が採られてきたが、何れの方法も光沢感の低下を招き、記録媒体として光沢紙を用いても写真調の風合いが得られないという欠点があった。また、３原色（ＹＭＣ）インクだけで彩度を効率的に広げるためには、減法混色に適した理想的な分光特性を持ったＹＭＣインク用の顔料種を選択しなければならず、更に耐光性、耐ガス性等に優れた顔料種となるとその数は限られており、このような限られた顔料種の中で、上記のように顔料濃度の増加により彩度を高めようとしても、３原色の色相変化や、インクジェットプリンタのノズルの目詰り等を起こすおそれがあり、効果的ではない。
また、色再現範囲の広い顔料インクセットとして、特開２０００−３５１９２８号公報には、ＹＭＣの３色の顔料インクに加えて、それぞれ特定の顔料を含有するオレンジ、グリーン及びバイオレットのうちの少なくとも１色を備えたカラープリント用カラーインクジェットインクセットが開示されているが、このインクセットは、彩度の再現範囲が十分に広いとは言えず、光沢感の低下を招かずに彩度を高めることはできなかった。特に、粒状性の低下を招かずに朱色の彩度を高めることはできなかった。また、ＷＯ９９／０５２３０号公報には、ＹＭＣＫの４色の顔料インクに加えてオレンジ及びグリーンの２色の特色顔料インクを備えたインクセットが開示されているが、このインクセットは、パステル調の色のような明度が高く彩度の低い色の再現性には優れるものの、それ以外の色に関しては、前記インクセットと同様、彩度の再現範囲が不十分で、光沢感の低下を招かずに彩度を高めることはできなかった。
このように、従来の顔料インクセットは、光沢感の低下を招くことなく、色再現範囲が広く彩度が高い高画質の印刷物を提供することができなかった。
また、写真等（Ｌ版等）の比較的小さなサイズでは、特に、粒状性に優れ、かつ彩度が高い印刷物の提供が望まれている。
また、従来の顔料インクセットを用いてインクジェット記録された印刷物は、照明する光源が変わると色相が変化する現象、いわゆるメタメリズムを起こすという問題があった。このメタメリズムは、特にＹＭＣの３色のインクにより形成されたコンポジットブラックやグレー系の色相部分で顕著に見られ、画質低下の一因となっている。
従って、本発明の目的は、色再現範囲が広く、彩度が高く、粒状性が良く、光沢感のある印刷物の提供が可能で、インクジェット記録用インクセットとしての信頼性も高いインクセットを提供することにある。
また、本発明の別の目的は、該インクセットを用いたインクジェット記録方法であって、メタメリズムの低減された高画質の印刷物の提供が可能なインクジェット記録方法を提供することにある。
発明の開示
本発明者らは、ＹＭＣの３色の顔料インクを備えるインクセットを用いたインクジェット記録方法について種々検討した結果、粒状性と光沢を向上させるには、インク中の顔料固形分の低減化が必要であることがわかった。しかし、この手段を現状のＹＭＣの３色のインクに適用すると、２次色の発色が顕著に低下することがわかった。そこで、これらのインクに加えて、更に特色インクとして、記録媒体上でのＣＩＥＬＡＢ色空間において定義される色相角Ｈ°が特定の範囲にある顔料インクを１種又は２種備えた顔料インクセットを用いることにより、粒状性と光沢の低下を招くことなく、彩度の再現範囲を広げることができることを知見した。また、この顔料インクセットを用い、２次色以上の混色部分を形成する場合は、該特色インクを使用することにより、低彩度な色からインク（Ａ）及び／又は下記インク（Ｂ）を印字できる（粒状性が良いため）ようになり、メタメリズムを低減できることを知見した。
本発明は、上記知見に基づいてなされたもので、少なくとも、記録媒体上でのＣＩＥＬＡＢ色空間において定義される色相角Ｈ°が約８０°〜約１１０°の範囲であるイエローインク、該色相角Ｈ°が約３３０°〜約３６０°の範囲であるマゼンタインク及び該色相角Ｈ°が約２３０°〜約２６０°の範囲であるシアンインクの３色インクと、下記インク（Ａ）及び／又は下記インク（Ｂ）とを備えるインクセットを提供することにより前記目的を達成したものである。
インク（Ａ）：前記色相角Ｈ°が約０°〜約８０°の範囲であるインク。
インク（Ｂ）：前記色相角Ｈ°が約２６０°〜約３３０°の範囲であるインク。
［前記色相角Ｈ°は、Ｈ°＝ｔａｎ−１（ｂ＊／ａ＊）＋１８０（ａ＊＜０の場合）、又はＨ°＝ｔａｎ−１（ｂ＊／ａ＊）＋３６０（ａ＊＞０の場合）により求められる。ａ＊及びｂ＊は、ＣＩＥＬＡＢ色空間において定義される知覚色度指数を表わす。］
また、本発明は、前記インクセットを用いて、記録媒体に文字及び／又は画像を形成するインクジェット記録方法を提供することにより、前記目的を達成したものである。
発明を実施するための最良の形態
以下、まず、本発明のインクセットについて、その好ましい実施形態に基づき説明する。
本実施形態のインクセットは、少なくとも記録媒体上でのＣＩＥＬＡＢ色空間において定義される色相角Ｈ°が約８０°〜約１１０°の範囲であるイエローインク、該色相角Ｈ°が約３３０°〜約３６０°の範囲であるマゼンタインク及び該色相角Ｈ°が約２３０°〜約２６０°の範囲であるシアンインクの３色インクと、インク（Ａ）及び／又はインク（Ｂ）の特色インクからなる。
前記記録媒体は、ＰＭ写真用紙であることが好ましい。ＰＭ写真用紙としては、例えばＰＭ写真用紙＜光沢＞ＫＡ４２０ＰＳＫが好適に挙げられる。各インクの色材は顔料インクであることが好ましいが、これに限定するものではない。
前記特色インクの一つであるインク（Ａ）は、記録媒体上でのＣＩＥＬＡＢ色空間において定義される色相角Ｈ°が約０°〜約８０°の範囲であるインクである。
前記特色インクの他の一つであるインク（Ｂ）は、記録媒体上でのＣＩＥＬＡＢ色空間において定義される色相角Ｈ°が約２６０〜約３３０°の範囲であるインクである。
色相角Ｈ°は、Ｈ°＝ｔａｎ−１（ｂ＊／ａ＊＋１８０（ａ＊＜０の場合）、またはＨ°＝ｔａｎ−１（ｂ＊／ａ＊＋３６０（ａ＊＞０の場合）により求められる。ａ＊及びｂ＊は、ＣＩＥＬＡＢ色空間において定義される知覚色度指数を表わす。
前記インク（Ａ）と前記インク（Ｂ）の明度は、前記マゼンタインクと前記シアンインクの明度よりも低く、かつ、前記インク（Ａ）と前記インク（Ｂ）の彩度は、前記マゼンタインクと前記シアンインクの彩度よりも高いことが好ましい。
このように定義することにより、高明度部分の彩度は、ＣＭＹインクで高めることが可能であり、低明度部分の彩度は、インク（Ａ）及び／又はインク（Ｂ）が加わることで高めることが可能である。
前記イエローインクは、４００ｎｍ〜５００ｎｍに吸収面積が３０ａｂｓ・ｎｍ以上、３５０ａｂｓ・ｎｍ以下である吸収スペクトルを有することが好ましい。イエローインクの４００ｎｍ〜５００ｎｍにおける吸収面積は３０ａｂｓ・ｎｍ以上、２５０ａｂｓ・ｎｍ以下であることがより好ましく、３０ａｂｓ・ｎｍ以上、２００ａｂｓ・ｎｍ以下であることがさらに好ましい。
前記マゼンタインクは、５００ｎｍ〜６００ｎｍに吸収面積が２０ａｂｓ・ｎｍ以上、２００ａｂｓ・ｎｍ以下である吸収スペクトルを有することが好ましい。マゼンタインクの５００ｎｍ〜６００ｎｍにおける吸収面積は２０ａｂｓ・ｎｍ以上、１５０ａｂｓ・ｎｍ以下であることがより好ましく、２０ａｂｓ・ｎｍ以上、６０ａｂｓ・ｎｍ以下であることがさらに好ましい。
前記シアンインクは、６００ｎｍ〜７００ｎｍに吸収面積が５０ａｂｓ・ｎｍ以上、４００ａｂｓ・ｎｍ以下である吸収スペクトルを有することが好ましい。シアンインクの６００ｎｍ〜７００ｎｍにおける吸収面積は５０ａｂｓ・ｎｍ以上、３００ａｂｓ・ｎｍ以下であることがより好ましく、５０ａｂｓ・ｎｍ以上、１００ａｂｓ・ｎｍ以下であることがさらに好ましい。
本発明において吸収面積（ａｂｓ・ｎｍ）とは、各波長（ｎｍ）における各吸収（ａｂｓ）を面として合計した値である。例えば、４００ｎｍ〜５００ｎｍにおける吸収スペクトルの吸収が１ａｂｓであった場合、４００ｎｍ〜５００ｎｍにおける吸収面積は、１［ａｂｓ］×（５００−４００）［ｎｍ］＝１００ａｂｓ・ｎｍとなる。
前記インク（Ａ）の５００ｎｍ〜６００ｎｍにおける吸収面積は、前記マゼンタインクの５００ｎｍ〜６００ｎｍにおける吸収面積と同等以上であることが好ましい。
前記インク（Ａ）の５００ｎｍ〜６００ｎｍにおける吸収面積は、前記マゼンタインクの５００ｎｍ〜６００ｎｍにおける吸収面積の１．０倍以上、３．５倍以下であることが好ましく、１．５倍以上、３．０倍以下であることがさらに好ましい。
前記インク（Ａ）の４００ｎｍ〜５００ｎｍにおける吸収面積は、当該インク（Ａ）の５００ｎｍ〜６００ｎｍにおける吸収面積の０．５倍以上、２．０倍以下であることが好ましく、０．５倍以上、１．０倍以下であることがさらに好ましい。
前記インク（Ａ）の４００ｎｍ〜５００ｎｍにおける吸収面積は、４０ａｂｓ・ｎｍ以上、２００ａｂｓ・ｎｍ以下であることがより好ましく、４０ａｂｓ・ｎｍ以上、１００ａｂｓ・ｎｍ以下であることがさらに好ましい。
前記インク（Ａ）の５００ｎｍ〜６００ｎｍにおける吸収面積は、２０ａｂｓ・ｎｍ以上、２００ａｂｓ・ｎｍ以下であることがより好ましく、２０ａｂｓ・ｎｍ以上、１５０ａｂｓ・ｎｍ以下であることがさらに好ましい。
前記インク（Ｂ）の５００ｎｍ〜６００ｎｍにおける吸収面積は、前記シアンインクの６００ｎｍ〜７００ｎｍにおける吸収面積と同等以上であることが好ましい。
前記インク（Ｂ）の５００ｎｍ〜６００ｎｍにおける吸収面積は、前記シアンインクの６００ｎｍ〜７００ｎｍにおける吸収面積の１．０倍以上、３．０倍以下であることが好ましく、１．０倍以上、２．０倍以下であることがさらに好ましい。
前記インク（Ｂ）の５００ｎｍ〜６００ｎｍにおける吸収面積は、当該インク（Ｂ）の６００ｎｍ〜７００ｎｍにおける吸収面積の０．５倍以上、５．０倍以下であることが好ましく、３．０倍以上、４．０倍以下であることがさらに好ましい。
前記インク（Ｂ）の５００ｎｍ〜６００ｎｍにおける吸収面積は、５０ａｂｓ・ｎｍ以上、３５０ａｂｓ・ｎｍ以下であることがより好ましく、５０ａｂｓ・ｎｍ以上、２００ａｂｓ・ｎｍ以下であることがさらに好ましい。
前記インク（Ｂ）の６００ｎｍ〜７００ｎｍにおける吸収面積は、２０ａｂｓ・ｎｍ以上、１５０ａｂｓ・ｎｍ以下であることがより好ましく、２０ａｂｓ・ｎｍ以上、１００ａｂｓ・ｎｍ以下であることがさらに好ましい。
本実施形態のインクセットは、４００ｎｍ〜５００ｎｍに吸収面積が３０ａｂｓ・ｎｍ以上、３５０ａｂｓ・ｎｍ以下である吸収スペクトルを有するイエローインクと、５００ｎｍ〜６００ｎｍに吸収面積が２０ａｂｓ・ｎｍ以上、２００ａｂｓ・ｎｍ以下である吸収スペクトルを有するマゼンタインクと、６００ｎｍ〜７００ｎｍに吸収面積が５０ａｂｓ・ｎｍ以上、４００ａｂｓ・ｎｍ以下である吸収スペクトルを有するシアンインクと、下記インク（Ａ）及び／又は下記インク（Ｂ）とを備えるものであってもよい。
インク（Ａ）：５００ｎｍ〜６００ｎｍにおける吸収面積が、前記マゼンタインクの５００ｎｍ〜６００ｎｍにおける吸収面積と同等以上であるインク
インク（Ｂ）：５００ｎｍ〜６００ｎｍにおける吸収面積が、前記シアンインクの６００ｎｍ〜７００ｎｍにおける吸収面積と同等以上であるインク
前記インク（Ａ）の５００ｎｍ〜６００ｎｍにおける吸収面積が、前記マゼンタインクの５００ｎｍ〜６００ｎｍにおける吸収面積の１．０倍以上、３．５倍以下であってもよい。また、前記インク（Ｂ）の５００ｎｍ〜６００ｎｍにおける吸収面積が、前記シアンインクの６００ｎｍ〜７００ｎｍにおける吸収面積の１．０倍以上、３．０倍以下であってもよい。
本実施形態のインクセットは、４００ｎｍ〜５００ｎｍに吸収面積が３０ａｂｓ・ｎｍ以上、３５０ａｂｓ・ｎｍ以下である吸収スペクトルを有するイエローインクと、５００ｎｍ〜６００ｎｍに吸収面積が２０ａｂｓ・ｎｍ以上、２００ａｂｓ・ｎｍ以下である吸収スペクトルを有するマゼンタインクと、６００ｎｍ〜７００ｎｍに吸収面積が５０ａｂｓ・ｎｍ以上、４００ａｂｓ・ｎｍ以下である吸収スペクトルを有するシアンインクと、下記インク（Ａ）及び／又は下記インク（Ｂ）とを備えるものであってもよい。
インク（Ａ）：インク（Ａ）の４００ｎｍ〜５００ｎｍにおける吸収面積が、当該インク（Ａ）の５００ｎｍ〜６００ｎｍにおける吸収面積の０．５倍以上、２．０倍以下であるインク
インク（Ｂ）：インク（Ｂ）の５００ｎｍ〜６００ｎｍにおける吸収面積が、当該インク（Ｂ）の６００ｎｍ〜７００ｎｍにおける吸収面積の０．５倍以上、５．０倍以下であるインク
本発明の好ましい実施形態においては、前記マゼンタインクと前記シアンインクそれぞれの顔料固形分濃度は光沢度及び彩度の観点から、２重量％以下であり、かつ、前記インク（Ａ）と前記インク（Ｂ）と前記イエローインクそれぞれの顔料固形分濃度が２重量％以上であることが好ましい。このような濃度とすることにより、光沢度、彩度、及び粒状性に優れる。前記マゼンタインク及び前記シアンインクそれぞれの顔料固形分濃度は光沢度、彩度及び粒状性向上の観点から、０．１重量％以上２重量以下であることがより好ましく、１．５重量％以上２重量％以下であることがさらに好ましい。前記インク（Ａ）、前記インク（Ｂ）、前記イエローインクにおける前記各顔料（固形分）の含有量は、彩度４０あたりの粒状性と印字濃度とインクジェット記録用インクとしての信頼性とのバランスの観点から、それぞれ、インク全重量に対して、好ましくは２〜６重量％、更に好ましくは２〜４重量％である。
本発明の好ましい実施形態においては、前記イエローインク、前記マゼンタインク及び前記シアンインクそれぞれにおける顔料固形分濃度は０．１重量％以上、２重量％以下であり、かつ、前記インク（Ａ）及び前記インク（Ｂ）それぞれの顔料固形分濃度が２重量％以上、６重量％以下であることが好ましい。このような濃度とすることにより、光沢度と彩度、特に光沢度に優れた記録物を得ることができる。前記イエロー、マゼンタ及びシアンの３色のインクにおける前記各顔料の含有量は、光沢度と彩度向上の観点から、それぞれインク全重量に対して、好ましくは０．１〜２重量％、さらに好ましくは１．５〜２重量％である。前記インク（Ａ）及び（Ｂ）それぞれにおける前記各顔料の含有量は、彩度４０あたりの粒状性と印字濃度とインクジェット記録用インクとしての信頼性とのバランスの観点から、それぞれ、インク全重量に対して、好ましくは２〜６重量％、さらに好ましくは２〜４重量％である。
本発明の好ましい実施形態においては、前記イエローインク、前記マゼンタインク、前記シアンインク、前記インク（Ａ）、及び前記インク（Ｂ）それぞれの顔料固形分濃度は２重量％以上であることが好ましい。このような濃度とすることにより、記録媒体上に少ないインク付着量で高い彩度を得ることができるので、色再現性に優れる。よって、インク吸収層が薄く、安価な光沢紙に記録した場合は、インクのあふれが少ないために、光沢に優れる。また、大判サイズに記録する場合において、ある程度の粒状性があることにより、メリハリがあって、はっきりとした画像を得ることができる。
前記インクに含有される色材は顔料であることが好ましい。
本実施形態に係るインクに含有される顔料としては、無機顔料及び有機顔料を使用することができ、それぞれ単独又は複数種混合して用いることができる。前記無機顔料としては、例えば、酸化チタン及び酸化鉄の他に、コンタクト法、ファーネス法、サーマル法等の公知の方法によって製造されたカーボンブラックが使用できる。また、前記有機顔料としては、アゾ顔料（アゾレーキ、不溶性アゾ顔料、縮合アゾ顔料、キレートアゾ顔料等を含む）、多環式顔料（例えば、フタロシアニン顔料、ペリレン顔料、ペリノン顔料、アントラキノン顔料、キナクリドン顔料、ジオキサジン顔料、チオインジゴ顔料イソインドリノン顔料、キノフラロン顔料等）、染料キレート（例えば、塩基性染料型キレート、酸性染料型キレート等）、ニトロ顔料、ニトロソ顔料、アニリンブラック等が使用できる。
具体的には下記の顔料が挙げられる。
前記インク（Ａ）に含有される顔料としては、Ｃ．Ｉ．ピグメントオレンジ５，４３及び６２並びにＣ．Ｉ．ピグメントレッド１７，４９：２，１１２，１４９，１７７，１７８，１８８，２５５及び２６４からなる群から選ばれる１種又は２種以上が好適に用いられる。
これらのうち、特にＣ．Ｉ．ピグメントレッド１４９，１７７，１７８及び２６４からなる群から選ばれる１種又は２種以上を用いることが好ましい。この場合には、インク（Ａ）は、「インク（Ａ）単色で形成できる色」と、「イエローインクとマゼンタインクの２色だけを混合して形成される色相角と彩度が同じ色」の明度が近い程、粒状性と光沢とを向上させることができる。
前記インク（Ｂ）に含有される顔料としては、Ｃ．Ｉ．ピグメントブルー６０並びにＣ．Ｉ．ピグメントバイオレット３，１９，２３，３２，３６及び３８からなる群から選ばれる１種又は２種以上が好適に用いられる。
これらのうち、特にＣ．Ｉ．ピグメントブルー６０及びＣ．Ｉ．ピグメントバイオレット１９，２３からなる群から選ばれる１種又は２種以上を用いることが好ましい。この場合には、インク（Ｂ）は、「インク（Ｂ）単色で形成できる色」と、「シアンインクとマゼンタインクの２色だけを混合して形成される色相角と彩度が同じ色」の明度が近い程、粒状性と光沢とを向上させることができる。
前記イエローインクに含有される顔料としては、例えば、Ｃ．Ｉ．ピグメントイエロー１，２，３，１２，１４，１６，１７，７３，７４，７５，８３，９３，９５，９７，９８，１０９，１１０，１１４，１２８，１２９，１３８，１３９，１４７，１５０，１５１，１５４，１５５，１８０，１８５等が挙げられ、これらの１種又は２種以上が用いられる。これらのうち、特にＣ．Ｉ．ピグメントイエロー７４，１１０，１２８及び１４７からなる群から選ばれる１種又は２種以上を用いることが好ましい。
前記マゼンタインクに含有される顔料としては、例えば、Ｃ．Ｉ．ピグメントレッド５，７，１２，４８（Ｃａ），４８（Ｍｎ），５７（Ｃａ），５７：１，１１２，１２２，１２３，１６８，１８４，２０２，２０９；Ｃ．Ｉ．ピグメントバイオレット１９等が挙げられ、これらの１種又は２種以上が用いられる。これらのうち、特にＣ．Ｉ．ピグメントレッド１２２，２０２，２０９及びＣ．Ｉ．ピグメントバイオレット１９からなる群から選ばれる１種又は２種以上を用いることが好ましい。
前記シアンインクに含有される顔料としては、例えば、Ｃ．Ｉ．ピグメントブルー１，２，３，１５：３，１５：４，１５：３４，１６，２２，６０；Ｃ．Ｉ．バットブルー４，６０等が挙げられ、これらの１種又は２種以上が用いられる。これらのうち、特にＣ．Ｉ．ピグメントブルー１５：３及び／又は１５：４を用いることが好ましく、とりわけ、Ｃ．Ｉ．ピグメントブルー１５：３を用いることが好ましい。
本実施形態のインクセットは、イエロー、マゼンタ及びシアンの３色の前記インクと２色の前記特色インクの１種又は２種を備えるものであるが、必要に応じて、ブラックインクを更に追加することもできる。ブラックインクに含有される顔料としては、例えば、ファーネスブラック、ランプブラック、アセチレンブラック、チャンネルブラック等のカーボンブラック（Ｃ．Ｉ．ピグメントブラック７）類、酸化鉄顔料等の無機顔料；アニリンブラック（Ｃ．Ｉ．ピグメントブラック１）等の有機顔料等が挙げられる。特に、カーボンブラックを用いることが好ましく、好ましいカーボンブラックの例として、三菱化学製のＮｏ．２３００，Ｎｏ．９００，ＭＣＦ８８，Ｎｏ．３３，Ｎｏ．４０，Ｎｏ．５２，ＭＡ７，ＭＡ８，ＭＡ１００，Ｎｏ．２２００Ｂ等、コロンビア製のＲａｖｅｎ５７５０，Ｒａｖｅｎ５２５０，Ｒａｖｅｎ５０００，Ｒａｖｅｎ３５００，Ｒａｖｅｎ１２５５，Ｒａｖｅｎ７００等、キャボット社製のＲｅｇａｌ  ４００Ｒ，Ｒｅｇａｌ  ４００Ｒ，Ｒｅｇａｌ  １６６０Ｒ，Ｍｏｇｕｌ、１，Ｍｏｎａｒｃｈ７００，Ｍｏｎａｒｃｈ８００，Ｍｏｎａｒｃｈ８８０，Ｍｏｎａｒｃｈ９００，Ｍｏｎａｒｃｈ１０００，Ｍｏｎａｒｃｈ１１００，Ｍｏｎａｒｃｈ１３００，Ｍｏｎａｒｃｈ１４００等、テグッサ社製のＣｏｌｏｒ  Ｂｌａｃｋ  ＦＷ１，Ｃｏｌｏｒ  Ｂｌａｃｋ  ＦＷ２，Ｃｏｌｏｒ  Ｂｌａｃｋ  ＦＷ２Ｖ，Ｃｏｌｏｒ  Ｂｌａｃｋ  ＦＷ１８，Ｃｏｌｏｒ  Ｂｌａｃｋ  ＦＷ２００，Ｃｏｌｏｒ  Ｂｌａｃｋ  Ｓ１５０，Ｃｏｌｏｒ  Ｂｌａｃｋ  Ｓ１６０，Ｃｏｌｏｒ  Ｂｌａｃｋ  Ｓ１７０，Ｐｒｉｎｔｅｘ  ３５，Ｐｒｉｎｔｅｘ  Ｕ，Ｐｒｉｎｔｅｘ  Ｖ，Ｐｒｉｎｔｅｘ  １４０Ｕ，Ｓｐｅｃｉｌ  Ｂｌａｃｋ  ６，Ｓｐｅｃｉｌ  Ｂｌａｃｋ５，Ｓｐｅｃｉｌ  Ｂｌａｃｋ  ４Ａ，Ｓｐｅｃｉｌ  Ｂｌａｃｋ  ４等が挙げられる。
また、前記ブラックインク中における前記顔料（固形分）の含有量は、好ましくは０．１〜４重量％、更に好ましくは１〜３重量％である。
また、前記インク（Ａ）は、その明度が、前記イエローインクの明度及び／又は前記マゼンタインクの明度より低いことが好ましい。前記インク（Ａ）の記録媒体上での明度は、３５以上６５以下が好ましく、４０以上５０以下が更に好ましい。
また、前記インク（Ｂ）は、その明度が、前記マゼンタインクの明度及び／又は前記シアンインクの明度より低いことが好ましい。前記インク（Ｂ）の記録媒体上での明度は、５以上６５以下が好ましく、５以上１５以下が更に好ましい。
また、前記イエローインク、前記マゼンタインク、及び前記シアンインクの記録媒体上での光学濃度（ＯＤ値）は、それぞれ１．７以上、１．０以上、２．０以上であることが好ましい。
記録媒体上での明度が４５以上であれば、粒状性の観点からＯＤ値に上限をつける必要はないが、例えば、前記イエローインクの記録媒体上でのＯＤ値が１．７〜２．４であることが好ましく、極めて高い光沢を得るためには１．７〜１．９であることが特に好ましい。
前記マゼンタインクの記録媒体上でのＯＤ値は、１．０〜２．６であることが好ましく、極めて優れた粒状性を得るためには１．２〜２．０であることが特に好ましい。
前記シアンインクの記録媒体上でのＯＤ値は、２．０〜２．７であることが好ましく、極めて優れた粒状性を得るためには２．０〜２．５であることが特に好ましい。
前記インク（Ａ）は、前記イエローインクのＩＹ重量と前記マゼンタインクのＪ１Ｍ重量とを記録媒体上で混合して得られる混色部分の色相角Ｈ°（Ｙ＋Ｍ）の彩度Ｃ＊（Ｙ＋Ｍ）を（ＩＹ＋Ｊ１Ｍ）重量未満の使用量で得られるインクであることが好ましい。彩度Ｃ＊は、Ｃ＊＝｛（ａ＊）２＋（ｂ＊）２｝１／２により求められる。
前記インク（Ｂ）は、前記マゼンタインクのＪ２Ｍ重量と前記シアンインクのＫＣ重量とを記録媒体上で混合して得られる混色部分の色相角Ｈ°（Ｍ＋Ｃ）の彩度Ｃ＊（Ｍ＋Ｃ）を（Ｊ２Ｍ＋ＫＣ）重量未満の使用量で得られるインクであることが好ましい。
また、前記インク（Ａ）は、その彩度Ｃ＊Ａが、前記イエローインクの彩度Ｃ＊Ｙ及び／又は前記マゼンタインクの彩度Ｃ＊Ｍよりも高い（Ｃ＊Ａ＞Ｃ＊Ｙ及び／又はＣ＊Ａ＞Ｃ＊Ｍ）ことが好ましい。
色相角０°〜３０°の高彩度な色（朱色）を発色させるためには、色相角が４０°±１０°のインク（Ａ）を備えるとよい。
また、前記インク（Ｂ）は、その彩度Ｃ＊Ｂが、前記マゼンタインクの彩度Ｃ＊Ｍ及び／又は前記シアンインクの彩度Ｃ＊Ｃよりも高い（Ｃ＊Ｂ＞Ｃ＊Ｍ及び／又はＣ＊Ｂ＞Ｃ＊Ｃ）ことが好ましい。
前記インク（Ａ）の記録媒体上での彩度Ｃ＊Ａとしては、８０以上が好ましく、９０以上が更に好ましい。
前記インク（Ｂ）の記録媒体上での彩度Ｃ＊Ｂとしては、好ましくは８０以上、更に好ましくは９０以上である。
また、前記イエローインク、前記マゼンタインク及び前記シアンインクの記録媒体上での彩度Ｃ＊Ｙ、Ｃ＊Ｍ、Ｃ＊Ｃは、それぞれ、好ましくは７０〜１２０であり、より好ましくは８０〜１１０であり、さらに好ましくは８０〜９０である。
また、前記インク（Ａ）の記録媒体上での色相範囲は、ａ＊＝約６０〜約８０、ｂ＊＝約２０〜約８０の範囲、又はａ＊＝約３０〜約６０、ｂ＊＝約６０〜約１００の範囲であることが好ましい。
また、前記インク（Ｂ）の記録媒体上での色相範囲は、ａ＊＝約５０〜約７０、ｂ＊＝約−７０〜約−５０の範囲、又はａ＊＝約４０〜約６０、ｂ＊＝約−８０〜約−６０の範囲であることが好ましい。
また、前記イエローインクの記録媒体上での色相範囲は、ａ＊＝約−３０〜約２０、ｂ＊＝約７０〜約１３０の範囲であることが好ましく、前記マゼンタインクの色相範囲は、ａ＊＝約６０〜約９０、ｂ＊＝約−４０〜約−１０の範囲であることが好ましく、前記シアンインクの色相範囲は、ａ＊＝約−５０〜約−２０、ｂ＊＝約−７０〜約−４０の範囲であることが好ましい。
前記各インクにおいては、Ｄｕｔｙ１００％のインク重量は１０〜２０ｍｇ／ｉｎｃｈ２であることが好ましく、１２〜１８ｍｇ／ｉｎｃｈ２であることがより好ましく、１４〜１６ｍｇ／ｉｎｃｈ２であることがさらに好ましい。
前記マゼンタインクと前記シアンインクの記録媒体上での顔料固形分が０．２ｍｇ／ｉｎｃｈ２のときの明度が４５以上であることが好ましい。
前記インクに含有される色材は顔料であることが好ましい。
本実施形態に係るインクには、顔料の分散安定性を高める観点から、分散剤を含有させることが好ましい。分散剤としては、この種の顔料インクにおけるものと同様のものを特に制限なく用いることができ、例えば、高分子分散剤、カチオン性界面活性剤、アニオン性界面活性剤、ノニオン性界面活性剤などが挙げられる。高分子分散剤の例としては、ポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニルアクリル酸共重合体などが挙げられる。また、カチオン性界面活性剤の例としては、ポリオキシエチレンアルキルエーテルサルフェートのアンモニウム塩などが挙げられ、アニオン性界面活性剤の例としては、ドデシルベンゼンスルホン酸ナトリウム、ラウリル酸ナトリウムなどが挙げられ、ノニオン性界面活性剤の例としては、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミドなどが挙げられ、これらの１種又は２種以上が用いられる。特に、スチレン−（メタ）アクリル酸共重合体を用いることが好ましい。
前記分散剤は、前記インク中において、前記顔料に対して、固形分換算で好ましくは、０．１〜１０重量％、更に好ましくは、０．３〜６重量％含有される。
また、本実施形態に係るインクには、インクの乾燥を防いでインクジェットプリンタのヘッドでの目詰りを防止する観点から、高沸点有機溶媒を含有させることができる。
高沸点有機溶媒としては、例えば、エチレングリコール、ジエチレングリコール、トリエチレングリコール、ポリエチレングリコール、ポリプロピレングリコール、プロピレングリコール、ブチレングリコール、１．２．６−ヘキサントリオール、チオジグリコール、ヘキシレングリコール、グリセリン、トリメチロールエタン、トリメチロールプロパン等の多価アルコール類；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノエチルエーテル、トリエチレングリコールモノブチルエーテル等の多価アルコールのアルキルエーテル類；尿素、２−ピロリドン、Ｎ−メチル−２−ピロリドン、１．３−ジメチル−２−イミダゾリジノン、トリエタノールアミン、糖アルコール等の糖類などが挙げられ、これらの１種又は２種以上が用いられる。
前記高沸点有機溶媒は、前記インク中、好ましくは、０．１〜３０重量％、更に好ましくは、０．５〜２０重量％含有される。
また、本実施形態に係るインクには、インクの乾燥時間を短縮する観点から、低沸点有機溶媒を含有させることができる。低沸点有機溶媒としては、例えば、メタノール、エタノール、ｎ−プロピルアルコール、イソプロピルアルコール、ｎ−ブタノール、ｓｅｃ−ブタノール、ｔｅｒｔ−ブタノール、又はイソブタノール、ｎ−ペンタノール等が挙げられ、これらの１種又は２種以上が用いられる。特に、一価アルコールが好ましい。
また、本実施形態に係るインクには、記録媒体への濡れ性を高めて浸透性を高める観点から、浸透促進剤を含有させることができる。浸透促進剤としては、例えば、カチオン性界面活性剤、アニオン性界面活性剤、ノニオン性界面活性剤等の各種界面活性剤；メタノール、エタノール、イソプロピルアルコール等のアルコール類；エチレングリコールモノメチルエーテル、ジエチレングリコールモノエチルエーテル、ジエチレングリコールモノブチルエーテル、トリエチレングリコールモノブチルエーテル、プロレングリコールモノブチルエーテル、プロレングリコールモノブチルエーテル等の多価アルコールの低級アルキルエーテル；１．２−ペンタンジオール、１．２−ヘキサンジオール等のジオールが挙げられ、これらの１種又は２種以上が用いられる。特に、ジエチレングリコールモノブチルエーテル、トリエチレングリコールモノブチルエーテル又は１．２−ヘキサンジオールを用いることが好ましい。
前記浸透促進剤は、前記インク中、好ましくは、１〜２０重量％、更に好ましくは、１〜１０重量％含有される。
前記浸透促進剤として、下記の一般式（１）で表わされるアセチレングリコール系化合物やポリシロキサン系化合物を使用することもできる。該アセチレングリコール系化合物としては、市販されているものを用いることができ、例えば、サーフィノール８２，４４０，４６５，ＳＴＧ（商品名、エア・プロダクツ・アンド・ケミカルズ社製），オルフィンＹ，オルフィンＥ１０１０（商品名、日信化学工業製）などが挙げられ、これらの１種又は２種以上が用いられる。特に、サーフィノール４６５を用いることが好ましい。また、該ポリシロキサン系化合物としては、市販品としてＢＹＫ３４８（ビックケミージャパン製）等を用いることができる。
該アセチレングリコール系化合物及び／又はポリシロキサン系化合物は、前記インク中、好ましくは、０．１〜５重量％、更に好ましくは、０．５〜２重量％含有される。
0004253840.tif 000002
（式中、０≦ｍ＋ｎ≦５０、Ｒ１〜Ｒ４は、それぞれ独立に、炭素数１〜６のアルキル基を表わす。）
本実施形態に係るインクには、前記顔料の他、必要に応じて、分散剤、高沸点有機溶媒、低沸点有機溶媒、浸透促進剤を含有させ、バランスとして水を含有させる。水は、イオン交換水、言外ろ過水、逆浸透水、蒸留水等の純粋又は超純水を用いることが好ましい。特に、これらの水を、紫外線照射又は過酸化水素添加等により滅菌処理した水は、長期間に亘ってカビやバクテリアの発生が防止きれるので好ましい。
本実施形態に係るインクには、必要に応じて、水溶性ロジン類等の定着剤、安息香酸ナトリウム等の防黴剤・防腐剤、アロハネート類等の酸化防止剤・紫外線吸収剤、キレート剤、ｐＨ調整剤等の添加剤を含有させることができ、これらの１種又は２種以上が用いられる。
本実施形態に係るインクには、従来公知の装置、例えば、ボールミル、サンドミル、アトライター、バスケットミル、ロールミル等を使用して、従来の顔料インクと同様に調製することができる。調製に際しては、メンブレンファイターやメッシュフィルター等を用いて粗大粒子を除去することが好ましい。
本実施形態のインクセットは、ノズルからインクの液滴を吐出させ、該液滴を記録媒体に付着させて文字及び／又は画像を形成する記録媒体方法であるインクジェット記録方法に用いられることが好ましく、特にオンデマンド型のインクジェット記録方法に用いられることが好ましい。オンデマンド型のインクジェット記録方法吐しては、例えば、プリンターヘッドに配設された圧電素子を用いて記録を行う圧電素子記録方法、プリンターヘッドに配設された発熱抵抗素子のヒーターなどによる熱エネルギーを用いて記録を行う熱ジェット記録方法等が挙げられ、何れのインクジェット記録方法にも好適に使用できる。
本実施形態のインクセットは、イエロー、マゼンタ及びシアンの減法混色の３原色のインク以外に、更に２色の前記特色インクの１種又は２種を備えているので、色再現範囲が広く、彩度が高く、光沢感のある印刷物を提供することができる。
具体的には、記録媒体として光沢紙を用いた場合、印刷物の光沢感を損なわない程度にインクの打ち込み量を制限して、本実施形態のインクセットにより、高彩度高光沢の印刷物を得ることができる。従来のインクセットでは、このように光沢低下防止のためインクの打ち込み量が制限された印刷条件では、高彩度の印刷物を得ることができなかった。
また、記録媒体としてマット系記録媒体や普通紙（被記録面に繊維が露呈している記録媒体）を用いた場合、滅法混色の３原色のインクセットのインクの打ち込み量の制限でも、本実施形態のインクセットを用いることにより、高彩度の印刷物を得ることができる。
また、本実施形態のインクセットは、色再現性が広いにもかかわらず、前記各インクの顔料濃度が、インクジェットプリンタのノズルの目詰り等を起こすほど高くないので、インクジェット記録用インクセットとして信頼性が高い。
次に、本発明のインクジェット記録方法について、その好ましい実施形態である前記インクセットを用いた実施形態に基づいて説明する。
本実施形態のインクジェット記録方法は、複数色の前記インクの液滴をそれぞれ吐出させ、該液滴を記録媒体上で混合して、該記録媒体上に１色又は２次色以上の混色部分を形成する場合、前記インク（Ａ）及び前記インク（Ｂ）以外のインクの少なくとも２種と、該インク（Ａ）及び／又は該インク（Ｂ）とにより該混色部分を形成するインクジェット記録方法である。
即ち、本実施形態のインクジェット記録方法は、記録媒体上で２次色以上の混色部分を形成する場合、前記イエロー、マゼンタ及びシアンの３色のインクの少なくとも２種と、２色の前記特色インクの１種又は２種を用いることを特徴するもので、記録媒体に単色でインクを打ち込む場合は、通常のインクジェット記録方法と同様である。
具体的には、前記知覚色度指数ａ＊及びｂ＊が、それぞれ、ａ＊＝約−５０〜約５０、ｂ＊＝約−５０〜約５０の範囲にある混色部分、即ち、白色と黒色との間の色相群の１色（例えば、グレー色）の混色部分を形成する場合、少なくとも、イエロー、マゼンタ及びシアンの３色の前記インクと、前記インク（Ａ）及び／又は前記インク（Ｂ）とを用いる。前記インクセットが、前記５種類のインク以外のインク、例えば、ブラック、ライトマゼンタ、ライトシアン等の色のインクを備えている場合は、それらを適宜用いても良い。
上記のように白色と黒色との間の色相群の１色の混色部分を形成する場合、前記特色インク［前記インク（Ａ）及び／又は前記インク（Ｂ）］の単位面積当たりのインク打ち込み量は、該混色部分の形成に用いられるインク総打ち込み量に対して、好ましくは１０〜９０重量％更に好ましくは、３０〜５０重量％である。
また、前記知覚色度指数ａ＊及びｂ＊が、それぞれ、ａ＊＝約−４０〜約９０、ｂ＊＝約−４０〜約１００の範囲にある混色部分、即ち、イエロー色とマゼンタ色との間の色相群の１色（例えば、オレンジ色や赤色）の混色部分を形成する場合、少なくとも、イエロー及びマゼンタの２色の前記インクと、前記インク（Ａ）とを用いる。この場合、該インク（Ａ）の単位面積当たりのインク打ち込み量は、該混色部分の形成に用いられるインクの総打ち込み量に対して、好ましくは、１０〜９０重量％、更に好ましくは、３０〜５０重量％である。
また、前記知覚色度指数ａ＊及びｂ＊が、それぞれ、ａ＊＝約−５０〜約１００、ｂ＊＝約−１０〜約−８０の範囲にある混色部分、即ち、マゼンタ色とシアン色との間の色相群の１色（例えば、バイオレット色や青色）の混色部分を形成する場合、少なくとも、マゼンタとシアンの２色の前記インクと、前記インク（Ｂ）とを用いる。この場合、該インク（Ｂ）の単位面積当たりのインク打ち込み量は、該混色部分の形成に用いられるインクの総打ち込み量に対して、好ましくは、１０〜９０重量％、更に好ましくは、３０〜５０重量％である。
本実施形態のインクジェット記録方法によれば、２次色以上の混色部分を形成する場合、上述の如き組み合わせで前記各インクを用いるので、照明する光源が変わっても色相がほとんど変化しない印刷物、即ち、メタメリズムの低減された高画質の印刷物を提供することができる。
具体的に説明すると、例えば、イエロー、マゼンタ及びシアンのＹＭＣの３色の前記インクのみを用いて混色部分を形成すると、特に該混色部分の彩度Ｃ＊が低い場合、該混色部分の分光特性は、図１に実線で示すように、ピークトップが３つ現れたものとなり、照明する光源によって色相が異なって見えてしまう（メタメリズム現象）。これに対し、本実施形態のインクジェット記録方法のように、例えば、ＹＭＣの前記インクに加えて、更に前記インク（Ａ）及び／又は（Ｂ）を用いて混色部分を形成することにより、該混色部分の分光特性は、前記３つのピークトップと、これらのピークトップの谷間を埋める新たなピークトップ（点線部）とを有するものとなり、あたかもピークトップが一つになった状態となるので、メタメリズムが低減する。
また、本実施形態のインクジェット記録方法は、この種の記録方法において通常用いられる記録媒体は特に制限なく適用できるが、特に普通紙に対して有効である。即ち、普通紙は、多量の水分が接触すると、その接触部分におけるセルロース繊維間の水素結合が破壊され、該接触部分が伸長して紙シワ等の変形を起こす性質があり、前記特開２０００−３５１９２８号公報に記載の従来のインクセットを用いたインクジェット記録方法では、特に２次色以上の混色部分で、紙シワが発生していたところ、本実施形態のインクジェット記録方法によれば、該混色部分の形成時におけるインクの打ち込み量が比較的少量で、高発色の文字及び／又は画像を形成できるので、紙シワ等の変形や、紙の裏面への着色を抑制することができる。
本発明は、前記実施形態に制限されず、その趣旨を逸脱しない範囲内で種々の変更が可能である。
本発明のインクセットは、少なくとも、イエロー、マゼンタ及びシアンの３色のインクと、特色インクとして、前記インク（Ａ）及び／又は（Ｂ）とを備えるインクセットであればよく、これらのインク以外に、例えば、上述のブラックインクは勿論のこと、本発明に係る前記イエローインク、前記マゼンタインク及び前記シアンインク以外のイエローインク、マゼンタインク、シアンインクの１種又は２種以上を備えていてもよい。
また、本発明のインクジェット記録方法は、前記インク（Ａ）及び／又は前記インク（Ｂ）と、少なくとも、前記イエローインク、前記マゼンタインク、前記シアンインク及び前記ブラックインクの何れか１色とにより混色部分を形成するインクジェット記録方法であってもよい。
〔実施例〕
以下に、本発明の実施例及び試験例を挙げて、本発明をより具体的に説明するが、本発明は、かかる実施例により何等制限されるものではない。
〔実施例１〕
イエロー、マゼンタ、シアンの３原色インク、並びに下記の特色インクＡ１、特色インクＢ１を、それぞれ常法に従い調製した。即ち、着色剤成分を分散剤成分と共に分散させた後、他の成分を加えて混合し、一定以上の大きさの不溶成分を濾過して、インクを調製した。得られたインクを組み合わせてインクセット１とした。
＜イエローインク＞
0004253840.tif 000003
＜マゼンタインク＞
0004253840.tif 000004
＜シアンインク＞
0004253840.tif 000005
＜特色インクＡ１＞
0004253840.tif 000006
＜特色インクＢ１＞
0004253840.tif 000007
＜ブラックインク＞
0004253840.tif 000008
なお、前記各インクにおいては、Ｄｕｔｙ１００％のインク重量を１４〜１６ｍｇ／ｉｎｃｈ２とした。
〔実施例２〕
前記インクセット１（実施例１）において、特色インクＡ１、特色インクＢ１に代えて、下記の特色インクＡ２、特色インクＢ２を備えた以外は、前記インクセット１と同じ構成のインクセット２を製造した。
＜特色インクＡ２＞
0004253840.tif 000009
＜特色インクＢ２＞
0004253840.tif 000010
〔実施例３〕
前記インクセット１（実施例１）において、特色インクＡ１、特色インクＢ１に代えて、下記の特色インクＡ３、特色インクＢ３を備えた以外は、前記インクセット１と同じ構成のインクセット３を製造した。
＜特色インクＡ３＞
0004253840.tif 000011
＜特色インクＢ３＞
0004253840.tif 000012
〔実施例４〕
前記インクセット１（実施例１）において、特色インクＡ１、特色インクＢ１に代えて、下記の特色インクＡ４、特色インクＢ４を備えた以外は、前記インクセット１と同じ構成のインクセット４を製造した。
＜特色インクＡ４＞
0004253840.tif 000013
＜特色インクＢ４＞
0004253840.tif 000014
〔実施例５〕
前記インクセット４（実施例４）において、イエローインクのＣ．Ｉ．ピグメントイエロー７４に代えて、Ｃ．Ｉ．ピグメントイエロー１２８を使用した以外は、前記インクセット４と同じ構成のインクセット５を製造した。
〔実施例６〕
前記インクセット１（実施例１）において、イエローインクのＣ．Ｉ．ピグメントイエロー７４に代えて、Ｃ．Ｉ．ピグメントイエロー１４７を使用した以外は、前記インクセット１と同じ構成のインクセット６を製造した。
〔実施例７〕
前記インクセット１（実施例１）において、イエローインクのＣ．Ｉ．ピグメントイエロー７４に代えて、Ｃ．Ｉ．ピグメントイエロー１１０を使用した以外は、前記インクセット１と同じ構成のインクセット７を製造した。
〔実施例８〕
前記インクセット１（実施例１）において、特色インクＡ１のＣ．Ｉ．ピグメントレッド１７８を２．０重量％使用する代わりに、Ｃ．Ｉ．ピグメントオレンジ４３を３重量％使用した以外は、前記インクセット１と同じ構成のインクセット８を製造した。
〔実施例９〕
前記インクセット１（実施例１）において、特色インクＢ１のＣ．Ｉ．ピグメントバイオレット２３を２．０重量％使用する代わりに、Ｃ．Ｉ．ピグメントブルー６０を３重量％使用した以外は、前記インクセット１と同じ構成のインクセット９を製造した。
〔比較例１〕
下記組成の３色のインクを、実施例１と同様の方法でそれぞれ調製し、これらを組み合わせてインクセット１０とした。
＜イエローインク＞
0004253840.tif 000015
＜マゼンタインク＞
0004253840.tif 000016
＜シアンインク＞
0004253840.tif 000017
＜ブラックインク＞
0004253840.tif 000018
〔試験例〕
（Ｇａｍｕｔ体積の評価）
前記の実施例１〜９及び比較例１に記載の各インクセットを用いてインクジェットプリンタＰＭ９００Ｃ（セイコーエプソン社製）により、ＰＭ写真用紙（セイコーエプソン社製）に対して７２０×７２０ｄｐｉ、ｄｕｔｙ１００％（単色の場合），１２０％（前記６色のインクを任意に混ぜた場合、ただし、比較例は前記４色のインクを任意に混ぜた場合）にて印字し、記録物を得た。得られた記録物のガマット体積を測定した。
ガマット体積の測定は、グレタグ社製グレタス・マクベスＳＰＭ５０を用いて、Ｄ５０光源、フィルターなし、視野角２°にて測定し、ＣＩＥで規定のＬ＊ａ＊ｂ＊表色系で、Ｌ＊＝１，ａ＊＝１，ｂ＊＝１からなる立方体の体積を１とした場合の体積を求めた。その結果を下記の基準に基づいて評価し、その結果を表１に示す。
評価Ａ：約６５０，０００以上。
評価Ｂ：約６５０，０００以下。
（粒状性の評価）
前記の実施例１〜９及び比較例１に記載の各インクセットを用いてインクジェットプリンタＰＭ９００Ｃ（セイコーエプソン社製）により、ＰＭ写真用紙（セイコーエプソン社製）に対して、ｄｕｔｙ５％，１０％で印字し、その部分を目視で判断し、その結果を表１に示す。
評価Ａ：粒を確認し難い。
評価Ｂ：粒を容易に確認できる。
（光沢付与性の評価）
前記の実施例１〜９及び比較例１に記載の各インクセットを用いてインクジェットプリンタＰＭ９００Ｃ（セイコーエプソン社製）により、ＰＭ写真用紙（セイコーエプソン社製）に対して、ｄｕｔｙ８０％で印字し、その部分に約２ｍ離れたところから蛍光灯をあて、蛍光灯の輪郭が確認できるかを目視で判断し、その結果を表１に示す。
評価Ａ：照明の形状が認識できる。
評価Ｂ：照明の形状が認識できない。
0004253840.tif 000019
〔実施例１０〕
イエロー、マゼンタ、シアンの３原色インク、並びに２色の特色インクＡ１及びＢ１を、それぞれ常法に従い調製した。即ち、着色剤成分を分散剤成分と共に分散させた後、他の成分を加えて混合し、一定以上の大きさの不溶成分を濾過して、インクを調製した。得られたインクを組み合わせてインクセット１１とした。
＜イエローインク＞
0004253840.tif 000020
＜マゼンタインク＞
0004253840.tif 000021
＜シアンインク＞
0004253840.tif 000022
＜特色インクＡ１＞
0004253840.tif 000023
＜特色インクＢ１＞
0004253840.tif 000024
〔実施例１１〕
前記インクセット１１（実施例１０）において、特色インクＡ１及びＢ１に代えて、下記２色の特色インクＡ２及びＢ２を備えた以外は、前記インクセット１１と同じ構成のインクセット１２を製造した。
＜特色インクＡ２＞
0004253840.tif 000025
＜特色インクＢ２＞
0004253840.tif 000026
〔実施例１２〕
前記インクセット１１（実施例１０）において、特色インクＡ１及びＢ１に代えて、下記２色の特色インクＡ３及びＢ３を備えた以外は、前記インクセット１１と同じ構成のインクセット１３を製造した。
＜特色インクＡ３＞
0004253840.tif 000027
＜特色インクＢ３＞
0004253840.tif 000028
〔実施例１３〕
下記組成の５色のインクを、実施例１０と同様の方法でそれぞれ調製し、これらを組み合わせてインクセット１４とした。
＜イエローインク＞
0004253840.tif 000029
＜マゼンタインク＞
0004253840.tif 000030
＜シアンインク＞
0004253840.tif 000031
＜特色インクＡ４＞
0004253840.tif 000032
＜特色インクＢ４＞
0004253840.tif 000033
〔実施例１４〕
前記インクセット１４（実施例１３）において、特色インクＡ４及びＢ４に代えて、下記２色の特色インクＡ５及びＢ５を備えた以外は、前記インクセット１４と同じ構成のインクセット１５を製造した。
＜特色インクＡ５＞
0004253840.tif 000034
＜特色インクＢ５＞
0004253840.tif 000035
〔実施例１５〕
下記組成の５色のインクを、実施例１０と同様の方法でそれぞれ調製し、これらを組み合わせてインクセット１６とした。
＜イエローインク＞
0004253840.tif 000036
＜マゼンタインク＞
0004253840.tif 000037
＜シアンインク＞
0004253840.tif 000038
＜特色インクＡ６＞
0004253840.tif 000039
＜特色インクＢ６＞
0004253840.tif 000040
〔実施例１６〕
前記インクセット１６（実施例１５）において、特色インクＡ６及びＢ６に代えて、下記２色の特色インクＡ７及びＢ７を備えた以外は、前記インクセット１６と同じ構成のインクセット１７を製造した。
＜特色インクＡ７＞
0004253840.tif 000041
特色インクＢ７
0004253840.tif 000042
〔比較例２〕
下記組成の３色のインクを、実施例１０と同様の方法でそれぞれ調製し、これらを組み合わせてインクセット１８とした。
＜イエローインク＞
0004253840.tif 000043
＜マゼンタインク＞
0004253840.tif 000044
＜シアンインク＞
0004253840.tif 000045
〔比較例３〕
下記組成の３色のインクを、実施例１０と同様の方法でそれぞれ調製し、これらを組み合わせてインクセット１９とした。
＜イエローインク＞
0004253840.tif 000046
＜マゼンタインク＞
0004253840.tif 000047
＜シアンインク＞
0004253840.tif 000048
〔比較例４〕
下記組成の３色のインクを、実施例１０と同様の方法でそれぞれ調製し、これらを組み合わせてインクセット２０とした。
＜イエローインク＞
0004253840.tif 000049
＜マゼンタインク＞
0004253840.tif 000050
＜シアンインク＞
0004253840.tif 000051
〔試験例〕
（印刷物の作成及びその色彩等の測定）
インクジェットプリンタ（商品名「ＭＣ−２０００」、セイコーエプソン（株）製）を用いて、記録媒体（商品名「ＰＭ写真用紙」、セイコーエプソン（株）製）に対して、前記インクセット１１〜２０それぞれにより、１４４０×７２０ｄｐｉで１００％ｄｕｔｙを印刷し、印刷物を得た。「ｄｕｔｙ」とは、下記式（Ａ）で定義され、算出される値Ｄの単位を示すものである。１００％ｄｕｔｙとは、画素に対する単色の最大インク重量を意味する。
0004253840.tif 000052
このようにして得られた前記各印刷物の光学濃度（ＯＤ）を、グレタグ社製「ＳＰＭ−５０」を用い、光源Ｄ６５、視野角２度で測定し、各印刷物についてのＣＩＥＬＡＢ色空間において定義されるＬ＊、ａ＊、ｂ＊、並びに色相角∠Ｈ°［＝ｔａｎ−１（ｂ＊／ａ＊）＋１８０（ａ＊＜０の場合）、∠Ｈ°＝ｔａｎ−１（ｂ＊／ａ＊）＋３６０（ａ＊＞０の場合）］及び彩度Ｃ＊［＝〔（ａ＊）２＋（ｂ＊）２〕１／２］をそれぞれ求めた。
評価色：１色のインクで形成される１００％ｄｕｔｙの単色と図２に示すサークルの隣接する２色のインクの各５０％ｄｕｔｙで形成される１００％ｄｕｔｙの混色とした。
（特色インクの有効性）
実施例のインクセットにより作成した前記各印刷物において、ＹＭＣの３原色インクの何れか２色により形成された１００％ｄｕｔｙの混色部分の色相角∠Ｈ°と彩度Ｃ＊とを測定した。そして、これと同じ色相角∠Ｈ°及び彩度Ｃ＊を得るために要した特色インクの打ち込み量を測定した。それらの結果を下記表２〜５に示す。
0004253840.tif 000053
0004253840.tif 000054
0004253840.tif 000055
0004253840.tif 000056
表２〜５から明らかなように、ＹＭＣの３原色インクの何れか２色を用いて形成される１００％ｄｕｔｙの色相角∠Ｈ°の彩度Ｃ＊を、本発明に係る特色インクＡ又はＢによれば、６０％ｄｕｔｙ以下で得ることができる。
（色再現性の評価）
前記各印刷物における評価色のａ＊値とｂ＊値によって描かれるグラフの原点を含む側の面積を求め、これを彩度面積とした。それらの結果を下記表６に示す。彩度面積の値が大きいほど、インクセットの色再現範囲が広いことを示す。
（光沢付与性の評価）
前記各印刷物について、村上色彩技術研究所社製「ＧＰ−２００」を用い、１２Ｖ５０Ｗ、入射光束絞りφ１ｍｍ、反射光束絞りφ１．５ｍｍ、ＮＤ１０フィルター、入射角度４５度、煽り角度０度で、標準鏡面板を８５として、光沢度を測定した。前記評価色についての光沢度の最高値の平均値を求め、これを平均光沢度とした。その結果を下記表６に示す。平均光沢度の値が大きいほど、インクセットの光沢付与性が優れることを示す。
0004253840.tif 000057
0004253840.tif 000058
表６に示す結果から明らかなように、実施例１０〜１６のインクセットは、前記特色インク（Ａ）及び（Ｂ）を備えているので、比較例２〜４の３原色のインクからなるインクセットよりも、彩度面積を得ることができ、色再現性に優れるものであることが判る。更に、実施例１０〜１２のインクセットは、イエローインクの記録媒体上での光学濃度（ＯＤ値）が１．７〜１．９であり、マゼンタインクの記録媒体上での光学濃度（ＯＤ値）が１．２〜２．０であり、シアンインクの記録媒体上での光学濃度（ＯＤ値）が２．０〜２．５であるので、光沢感にも優れた印刷物を提供することができることが判る。
〔実施例１７〕
Ｃ．Ｉ．ピグメントイエロー７４を６．０重量％（固形分）、分散剤を１．８重量％とした以外は実施例１のイエローインクと同一組成のイエローインクと、Ｃ．Ｉ．ピグメントレッド２０２を６．０重量％（固形分）、分散剤を１．８重量％とした以外は実施例１のマゼンタインクと同一組成のマゼンタインクと、Ｃ．Ｉ．ピグメントブルー１５：３を４．０重量％（固形分）、分散剤を１．２重量％とした以外は実施例のシアンインクと同一組成のシアンインクと、Ｃ．Ｉ．ピグメントレッド１７８を６．０重量％（固形分）、分散剤を１．８重量％とした以外は実施例１の特色インクＡ１と同一組成のレッドインクと、Ｃ．Ｉ．ピグメントバイオレント２３を６．０重量％（固形分）、分散剤を１．８重量％とした以外は実施例１の特色インクＢ１と同一組成のバイオレットインクを、それぞれ実施例１と同様にして調製し、これらを組み合わせてインクセット２１とした。
〔試験例〕
（ＩＳＯ４００による評価）
ＩＳＯ４００規定に従い、任意の画像を印刷して評価した。評価は、インクセット２１と、上記インクセット１〜１０の双方について行った。評価基準は、
評価Ａ：照明の形状が認識できる。
評価Ｂ：照明の形状が認識できない。
評価の結果、インクセット２１及びインクセット１〜９（実施例１〜９）においては「Ａ」であり、インクセット１０（比較例１）においては「Ｂ」であった。これより、レッドインク及びバイオレットインクにおける顔料含有量を増やすことにより、低Ｄｕｔｙで画像形成ができ、光沢が向上したことが分かった。
また、インクセット２１について、粒状性及び光沢付与性についても上述と同様にして評価したところ、粒状性は「Ｂ」であり、光沢付与性は「Ｂ」であった。
〔実施例１８〕
＜マゼンタインク▲１▼＞
１．５重量％（固形分）のＣ．Ｉ．ピグメントレッド２０２を、２．０重量％（固形分）のＣ．Ｉ．ピグメントバイオレット１９に代えた以外は、実施例１のマゼンタインクと同一組成のマゼンタインク▲１▼を製造した。
＜シアンインク▲２▼＞
１．５重量％（固形分）のＣ．Ｉ．ピグメントブルー１５：３を、１．５重量％（固形分）のＣ．Ｉ．ピグメントブルー１５：４に代えた以外は、実施例１のシアンインクと同一組成のシアンインク▲２▼を製造した。
＜バイオレットインク▲３▼＞
２．０重量％（固形分）のＣ．Ｉ．ピグメントバイオレット２３を、３．０重量％（固形分）のＣ．Ｉ．ピグメントバイオレット２３に代えた以外は、実施例１の特色インクＢ１と同一組成のバイオレットインク▲３▼を製造した。
＜バイオレットインク▲４▼＞
２．０重量％（固形分）のＣ．Ｉ．ピグメントバイオレット２３を、３．５重量％（固形分）のＣ．Ｉ．ピグメントブルー６０に代えた以外は、実施例１の特色インクＢ１と同一組成のバイオレットインク▲４▼を製造した。
＜レッドインク▲５▼＞
２．５重量％（固形分）のＣ．Ｉ．ピグメントレッド１４９を、３．５重量％（固形分）のピグメントレッド１４９に代えた以外は、実施例４の特色インクＡ４と同一組成のレッドインク▲５▼を製造した。
（各インクの吸収面積の測定）
日立自記分光光度計Ｕ３３００形を用いて、スキャンスピード６００ｎｍ／ｍｉｎ、スリット２．０ｎｍ、ホトマル電圧自動制御、サンプリング間隔自動の測定条件で、測定した。
ベースラインは、サンプル側、リファレンス側ともに、縦１ｃｍ×横１ｃｍ×高さ４ｃｍの４ｍＬ容量のセキエイセルに純水を加えて設定し、測定した。
サンプル測定は、リファレンス側のセルをそのままにし、サンプル側のセルに以下のようにして調整したインク希釈液を入れ、測定した。各インク１．００ｇを１Ｌビーカーに移し、直ちに純水を加えて、合計１ｋｇにし、希釈液を得た。
その結果を表７に示す。
0004253840.tif 000059
産業上の利用可能性
本発明のインクセット及びインクジェット記録方法によれば、色再現範囲が広く、彩度が高く、粒状性が良く、光沢感のある印刷物を提供することができる。また、本発明のインクジェット記録方法によれば、メタメリズムの低減された高画質の印刷物を提供することができる。
【図面の簡単な説明】
図１は、本発明のインクジェット記録方法により得られた混色部分の分光特性を示す模式図である。
図２は、実施例において、印刷物を作成する際の混色の組み合わせを示す図である。
【図１】
0004253840.tif 000060
【図２】
0004253840.tif 000061